(57)【要約】【課題】  流動体を入れたビニール袋を収納するダンボール箱であって、ダンボール箱内にビニール袋を収納したまま、その袋内の流動体を少しずつ小出しする場合に、その全量を残すことなく容易に排出することができる。【解決手段】  ダンボール箱Ｄの側壁を形成する、互いに重ね合わせた２枚の側板４，５に、取出口１８と、差込口１９とをそれぞれ形成し、ダンボール箱Ｄ内に収容されるビニール袋Ｂの筒状出入口２０を取出口１８を通して外部に取り出し、その筒状出入口２０のネック部２０ｎに差込口１９を差し込んで、筒状出入口２０を取出位置に係止する。【選択図】図２
0003153764.tif 000002
【実用新案登録請求の範囲】
【請求項１】
少なくとも一つの側壁が、２枚の側板（４，５）を重ね合わせた２重板よりなるダンボール箱において、
２枚の側板（４，５）には、互いに一致する位置に筒状の取出口（１８）と、Ｕ字状の差込口（１９）とをそれぞれ形成し、ダンボール箱（Ｄ）内に収容される流動体収容袋（Ｂ）の筒状出入口（２０）を前記取出口（１８）を通して外部に取り出し、該筒状出入口（２０）のネック部（２０ｎ）に前記差込口（１９）を差し込んで、筒状出入口（２０）を取出位置に係止することを特徴とする、流動体収容袋の収納用ダンボール箱。
【請求項２】
前記取出口（１８）を形成した側板（５）を内側に、前記差込口（１９）を形成した側板（４）を外側にして重ね合わされることを特徴とする、前記請求項１記載の流動体収容袋の収納用ダンボール箱。
【請求項３】
ダンボール箱（Ｄ′）と差込板（Ｉ）とよりなり、ダンボール箱（Ｄ′）の出入口（１０４）を開閉する開閉蓋（１０５）に筒状の取出口（１８）を形成し、前記差込板（Ｉ）にはＵ字状の差込口（１９）を形成し、ダンボール箱（Ｄ′）内に収容される流動体収容袋（Ｂ）の筒状出入口（２０）を前記取出口（１８）を通して外部に取り出し、該筒状出入口（２０）のネック部（２０ｎ）に前記差込口（１９）を差し込んで、筒状出入口（２０）を取出位置に係止することを特徴とする、流動体収容袋の収納用ダンボール箱。
【考案の詳細な説明】
【技術分野】
【０００１】
本考案は、液体、粉体、顆粒体などの流動体を収納した収納袋を収容すると共に収納したままその収納流動体の全量を、能率よく小出し排出可能とした、流動体収容袋の収納用ダンボール箱に関する。
【背景技術】
【０００２】
従来、粘着テープ、ホッチキスなどの接続手段を使用せずに、簡単容易に組み立てることができ、しかも組立、解体が容易な組立式ダンボール箱は、後記特許文献１により公知である。
【先行技術文献】
【特許文献】
【０００３】
【特許文献１】登録実用新案第３１３３６６８号公報
【考案の概要】
【考案が解決しようとする課題】
【０００４】
ところで、このようなダンボール箱内に、水、農薬、塗料などの流動体を収容する場合には、その流動体をビニール袋などの流動体収容袋に封入してからダンボール箱内に収容することが一般に行われる。ところが、流動体収納袋を単にダンボール箱内に収めたまま、その収納袋内の収容流動体を少しずつ小出しながらその全量を残らず取り出す場合、たとえば、地震などの災害地で、多くの被災者に飲料水などの流動体を分配する場合に、その全量を残すことなく小出しして排出するのが難しいという問題がある。
【０００５】
本考案は、上記実情に鑑みてなされたもので、前記問題を解決できるようにした、新規な流動体収容袋の収納用ダンボール箱を提供することを目的とする。
【課題を解決するための手段】
【０００６】
前記目的を達成するために、請求項１記載の考案は、少なくとも一つの側壁が、２枚の側板を重ね合わせた２重板よりなるダンボール箱において、２枚の側板には、互いに一致する位置に筒状の取出口と、Ｕ字状の差込口とをそれぞれ形成し、ダンボール箱内に収容される流動体収容袋の筒状出入口を取出口を通して外部に取り出し、該筒状出入口のネック部に前記差込口を差し込んで、筒状出入口を取出位置に係止することを特徴としている。
【０００７】
前記目的を達成するために、請求項２記載の考案は、前記請求項１のものにおいて、前記取出口を形成した側板を内側に、前記差込口を形成した側板を外側にして重ね合わされることを特徴としている。
【０００８】
また、前記目的を達成するために、請求項３記載の考案は、ダンボール箱と差込板とよりなり、ダンボール箱の出入口を開閉する開閉蓋に筒状の取出口を形成し、前記差込板にはＵ字状の差込口を形成し、ダンボール箱内に収容される流動体収容袋の筒状出入口を前記取出口を通して外部に取り出し、該筒状出入口のネック部に前記差込口を差し込んで、筒状出入口を取出位置に係止することを特徴としている。
【考案の効果】
【０００９】
請求項各項記載の考案によれば、ダンボール箱内に流動体収納袋を収納したまま、その袋内の流動体を排出する場合、特に、その流動体を少しずつ小出して排出する場合に、その全量を残すことなく容易に排出することができる。
【００１０】
流動体として、液体、粉体、顆粒体、ゼリー状体などが含まれる。
【図面の簡単な説明】
【００１１】
【図１】流動体収納袋を収容した状態のダンボール箱の斜視図（第１実施例）
【図２】図１の２−２線に沿う断面図（第１実施例）
【図３】図１の３−３線に沿う断面図（第１実施例）
【図４】ダンボール箱の展開図（第１実施例）
【図５】ダンボール箱の組立手順を示す斜視図（第１実施例）
【図６】ダンボール箱の組立手順を示す斜視図（第１実施例）
【図７】ダンボール箱の組立手順を示す斜視図（第１実施例）
【図８】固体を収容した状態のダンボール箱の斜視図（第１実施例）
【図９】流動体収納袋を収容した状態のダンボール箱の斜視図（第２実施例）
【図１０】図９の１０−１０線に沿う断面図（第２実施例）
【図１１】図１０の１１−１１線に沿う断面図（第２実施例）
【図１２】図１０の１２−１２線に沿う断面図（第２実施例）
【図１３】ダンボール箱および差込板の斜視図（第２実施例）
【図１４】ダンボール箱に流動体収納袋を収納する手順を示す斜視図（第２実施例）
【考案を実施するための形態】
【００１２】
本考案の実施の形態を、添付図面に例示した本考案の実施例に基づいて以下に具体的に説明する。
【００１３】
まず、図１〜８を参照して、本発明の第１実施例について説明する。
【００１４】
この第１実施例は、本考案にかかる流動体収容袋の収納用ダンボール箱Ｄを、手提げ箱兼用ダンボール箱に実施した場合であって、このダンボール箱Ｄは、一枚のダンボール板Ｐ（図４参照）により構成され、テープ、ファスナ、接着剤などの接続手段を用いることなく、図１に示すように、直方体状に組み立てられる。
【００１５】
手提げ箱兼用ダンボール箱Ｄを形成するダンボール板Ｐは、一枚のダンボール原紙を所定の形状に裁断して形成される。
【００１６】
図４には、ダンボール板Ｐを一平面の展開した状態が示されており、そのダンボール板Ｐは、その中央部に長方形状の底板１を有し、この底板１の相対向する前、後辺には折り線Ｂ２，Ｂ３を介して前側板２および後側板３がそれぞれ接続される。
【００１７】
前記前側板２の左、右辺には、折り線Ｂ４，Ｂ４を介して左、右第１の側板４，４がそれぞれ接続される。左、右第１の側板４，４の前辺には折り線Ｂ４ａ，Ｂ４ａを介して短冊状のフラップ４ａ，４ａが接続される。
【００１８】
前側板２の前辺には、底板１と同じ前蓋板８が折り線Ｂ８を介して接続される。
【００１９】
前記後側板３の左、右辺には、折り線Ｂ５，Ｂ５を介して前記左、右第１の側板４，４と同形の左、右第２の側板５，５が接続される。また、左、右第１の側板５，５の前辺には折り線Ｂ７，Ｂ７を介して左、右内底板７，７が接続される。これらの内底板７，７は、ダンボール箱Ｄの組立時に底板１上に左、右に並んで重ね合わされように、底板１の略１／２の大きさにそれぞれ形成される。
【００２０】
後側板３の後辺には、折線Ｂ９を介して後蓋板９が接続され、この後蓋板９は、前記前蓋板８と同じ大きさに形成され、これらの前、後蓋板８，９は、後述するように、ダンボール箱Ｄを手提げ箱として使う場合に、その一部同士が重ね合わされてグリップＧとなる。
【００２１】
左、右第２の側板５，５の後辺には、折り線Ｂ５ａ，Ｂ５ａを介して前記左、右フラップ４ａ，４ａと同じ左、右フラップ５ａ，５ａが接続される。
【００２２】
前記左、右第１の側板４，４および前記左、右第２の側板５，５には、長孔１０がそれぞれ開口され、それらの第２の側板５，５の各長孔１０は、ダンボール箱Ｄの組立時に一致して、人が指を差し込んで把持し得る把手孔（図１参照）となる。
【００２３】
後側板３と後蓋板９間の折り線Ｂ９の中央部には、スリット状の差込孔１１が開口され、また前記前蓋板８の外縁の中央部には、その差込孔１１に抜差自在に差し込まれる差込舌片１２が外側に向けて一体に形成される。さらに、差込孔１１の中央部には、これを横切るように、折り込み可能なロック片１３が設けられ、また、差込舌片１２の折線基部中央部には、前記ロック片１３の差し込まれるロック孔１４が設けられる。
【００２４】
前、後蓋板８，９の外側半部８ａ，９ａの左右方向の中央部には、手提げ孔１５，１５が対称的に開口されており、これらの手提げ孔１５，１５の一辺には、その手提げ孔１５，１５を開閉する開閉片１６，１６が設けられる。
【００２５】
前、後蓋板８，９には、それらの前後方向（高さ方向）の中間部に、折線Ｂ８，Ｂ９と平行な折線１７，１７が入れられており、蓋板８，９は、その折線１７，１７に沿って外側に折り込めるようにされる。
【００２６】
左右第２の側板５，５の一方、この第１実施例では、右側の第２の側板５の内底板７寄りの中間部には、筒状の取出口１８が開口され、また、左右第１の側板４，４の一方、この第１実施例では、右側の第１の側板４の内底板７寄りの中間部には、その端縁に開放されるＵ字状の差込口１９が形成される。そして、後述するように、ダンボール箱Ｄが組み立てられた状態では、第１の側板４，４と第２の側板５，５とが重ね合わされて、左右の側壁は２重壁となり、前記取出口１８と差込口１９とは互いに一致する位置にあって、ダンボール箱Ｄ内に収容されたビニール袋Ｂの筒状出入口２０が、前記取出口１８を貫通して外部に取り出され、また、前記筒状出入口２０のネック部２０ｎに、前記差込口１９を差し込むことにより、筒状出入口２０のダンボール箱Ｄ内への引き込みが抑止される。
【００２７】
つぎに、展開状態のダンボール板Ｐから、ダンボール箱Ｄを組み立てる手順について説明する。
【００２８】
〔流動体収納袋としてのビニール袋Ｂを収容する場合の組立順序（図５，６参照）〕
(1) 展開状態のダンボール板Ｐを設置面上に置いたのち、後側板３を折り線Ｂ３に沿って直角に上方に折り曲げ、また、左、右内底板７，７を内側に折り線Ｂ７，Ｂ７に沿って直角に折り曲げ、左、右第２の側板５，５を折り線Ｂ５，Ｂ５に沿って内側、すなわち底板１側に直角に折り曲げる。このとき、後側板３に接続される後蓋板９は起立状態となる。
【００２９】
(2) 前記(1) の折り曲げにより、図５に示すように、左、右内底板７，７は、底板１上に重ね合わされて２重底となり、また底板１の三方、すなわち左、右辺および後辺は、起立した左、右第２の側板５，５および後側板３により囲まれる。これにより、ダンボール箱Ｄは、その前面および上面がいずれも開放状態となり、この状態で、図５（ａ）あるいは（ｂ）に示すように、その前面あるいは上面のいずれの側からも水などお流動体を収納したビニール袋Ｂを２重底の底板１上に収容する。ビニール袋Ｂの筒状出入口２０は、そこを閉じるキャップ２１と共に、右側の第２の側板５に開口される取出口１８を通してダンボール箱Ｄの外に取り出す（図６参照）。
【００３０】
(3) つぎに、図６に示すように、左、右第１の側板４，４を折り線Ｂ４，Ｂ４に沿って内側に直角に折り曲げ、ついで、前側板２を前蓋板８と共に折り線Ｂ２に沿って直角に折り曲げることにより、第１の側板４，４が、起立している左、右第２の側板５，５の外側に重ね合わされて２重側壁が組み立てられる。この過程で、ビニール袋Ｂの筒状出入口２０を、右側の第２の側板５の取出口１８を貫通させて外部に突出させ、ついで、右側の第１の側板４（第２の側板５の外側に重ね合わされる）に形成した差込口１９を筒状出入口２０のネック部２０ｎに差し込む。これにより、ビニール袋Ｂの筒状出入口２０は、差込口１９に係止されて、ダンボール箱Ｄ内に引き込まれることがない。
【００３１】
また、長孔１０，１０は一致して、人が把持し得る把手孔となる。
【００３２】
(4) フラップ４ａ，４ａおよびフラップ５ａ，５ａをそれぞれ折り線Ｂ４ａ，Ｂ４ａおよびＢ５ａ，Ｂ５ａに沿って内側に折り曲げたのち、後蓋板９を折り線Ｂ９に沿って内側に折り曲げ、さらに、その上に前蓋板８を折り線Ｂ８に沿って内側に折り曲げれば、ダンボール箱Ｄの開放上面は、互いに重なり合う２枚の前蓋板８と後蓋板９により閉じることができる。
【００３３】
(5) ２枚の前、後蓋板８，９を折り線Ｂ８，Ｂ９の沿って途中まで折り曲げ、それらの前、後蓋板８，９自体を、折り線１７，１７に沿って外側に折り曲げると、図１〜３に示すように、前、後蓋板８，９の外側半部８ａ，９ａは互いに重なり合ってあって、上下方向の延びるグリップＧが形成され、また、それらの内側半部８ｂ，９ｂは、傾斜して開口上面を覆う。差込舌片１２は、重なり合っている内側半部８ａ，９ａの上縁を跨ぐように折り曲げられる。そして、手提げ孔１５，１５は互いに一致する。このとき、開閉片１６，１６は開き位置に折り曲げられて、図３に示すように、手提げ孔１５，１５が開口されると共にその手提げ孔１５，１５の上方エッジが開閉片１６，１６により覆われて丸みが付けられるので、手提げ孔１５，１５に指を通して手提げ箱Ａ２を持ち上げるとき、指を傷めない。
【００３４】
以上のように、ダンボール箱Ｄを流動体収容袋の収納用として使用する場合に、ダンボール箱Ｄより突出する、流動体収納袋としてのビニール袋Ｂの筒状出入口２０は、差込口１９により係止されるので、ダンボール箱Ｄ内にビニール袋Ｂを収納したまま、キャップ２１を外してビニール袋Ｂ内の流動体を小出して排出することができ、その残量が少なくなってもその筒状出入口２０が、ダンボール箱Ｄ内に引き込むことがなく、収容流動体を少しずつ小出ししながらその全量を残すことなく排出することができ、たとえば、被災地などで被災者に飲料水を分配する場合に適用すれば、きわめて有効である。
【００３５】
〔固体Ａを収容する場合の組立順序（図７，８参照）〕
(6) この場合は、第２の側板５に対する第１の側板４の組立順序が、前述の(1) 〜(5) の場合と若干相違しており、すなわち、その前面および上面がいずれも開放状態のダンボール箱Ｄの２重底の底板１上に固体Ａを収容した後、図７に示すように、左、右第１の側板４，４を左、右第２の側板５，５の内側に重ね合わせる。これにより、図８に示すように、第１の側板４，４に開口した差込口１９，１９は、第２の側板５，５により覆うことができ、その差込口１９が外部に露出することがなく、２重側壁を補強することができると共にダンボール箱Ｄの外観上の体裁もよい、
なお、取出口１８は、適宜、覆い板により閉じるようにしてもよい。
【００３６】
つぎに、図９〜１４を参照して、本考案の第２実施例について説明する。
【００３７】
この第２実施例は、在来のダンボール箱Ｄ′に本発明を実施した場合であり、箱状のダンボール箱Ｄ′と、これとは別体の差込板Ｉとよりなる。ダンボール箱Ｄ′の一面に開口される出入口１０４の一側に、この出入口１０４を開閉する開閉蓋１０５が折り畳み可能に接続される。この開閉蓋１０５の中間部の下方寄りに筒状の取出口１８が形成され、この取出口１８は、ビニール袋Ｂの筒状出入口２０を取り出し得る大きさに形成される。一方、差込板Ｉは、ダンボール板、合成樹脂板、ベニヤ板、金属板などにより形成され、その中央部には、下縁に開放されるＵ字状に差込口１９が形成され、この差込口１９は、ビニール袋Ｂの筒状出入口２０のネック部２０ｎ差し込み得る大きさに形成される。図１４（Ａ）に示すように、水などの流動体を入れたビニール袋Ｂをダンボール箱Ｄ′内に収容し、図１４（Ｂ）に示すように、そのビニール袋Ｂの筒状出入口２０は、開閉蓋１０５を閉じるとき、そのキャップ３１と共にその取出口１８を通してダンボール箱Ｄ′の外に取り出される。ついで、図１４（Ｃ）に示すように、差込板Ｉを開閉蓋１０５の外面に沿わせて移動させて、その差込口１９を筒状出入口２０のネック部２０ｎに差し込む。これによりビニール袋Ｂ内の流動体を少しずつを小出しして、その残量が少なくなっても、その筒状出入口２０が、ダンボール箱Ｄ′内に引き込むことがなく、収容流動体の全量を残すことなく容易に排出することができる。
【００３８】
流動体として、液体、粉体、顆粒体、ゼリー状体など流動体収納袋Ｂに収容でき、筒状出入口２０から連続的に排出できるものが含まれ、また、筒状出入口２０として、円筒状出入口、角筒状出入口など、差込口１９の差込得るネック部２０ｎを有するものが含まれる。
【００３９】
以上、本考案の実施例について説明したが、本考案は、その実施例に限定されることなく、本考案の請求の範囲内で種々の実施例が可能である。
【００４０】
たとえば、前記実施例では、ビニール袋を用いた場合を説明したが、これに代えて、他の公知の流動体収納袋を用いてもよいことは勿論である。
【符号の説明】
【００４１】
４・・・・・・・・・側板（第１の側板）
５・・・・・・・・・側板（第２の側板）
１８・・・・・・・・・取出口
１９・・・・・・・・・差込口
２０・・・・・・・・・筒状出入口
２０ｎ・・・・・・・・ネック部
１０４・・・・・・・・出入口
１０５・・・・・・・・開閉蓋
Ｂ・・・・・・・・・流動体収納袋（ビニール袋）
Ｄ・・・・・・・・・ダンボール箱
Ｄ′・・・・・・・・ダンボール箱
Ｉ・・・・・・・・・差込板
【図１】
0003153764.tif 000003
【図２】
0003153764.tif 000004
【図３】
0003153764.tif 000005
【図４】
0003153764.tif 000006
【図５】
0003153764.tif 000007
【図６】
0003153764.tif 000008
【図７】
0003153764.tif 000009
【図８】
0003153764.tif 000010
【図９】
0003153764.tif 000011
【図１０】
0003153764.tif 000012
【図１１】
0003153764.tif 000013
【図１２】
0003153764.tif 000014
【図１３】
0003153764.tif 000015
【図１４】
0003153764.tif 000016